(57)【要約】【課題】拡散板の周面よりも中央側に配してある光学シートの周縁部が挟み込まれるのを防ぐことができるとともに、薄型化を図ることができる表示装置を提供する。【解決手段】表側に表示面を有する表示部１と、発光ダイオード５１（光源）が発光した光を表示部１へ入光させる光学シート２と、該光学シート２に積層される拡散板３及び該拡散板３を支持する支持体４を備え、光学シート２を拡散板３の周面よりも中央側に配し、支持体４における拡散板３の周面よりも外側に結合され、前記周面よりも中央側で光学シート２の周縁に対向し、該光学シート２の面方向への移動を規制する規制体６を設けた。【選択図】図１
2010113096.tif 000002
【特許請求の範囲】
【請求項１】
表側に表示面を有する表示部の裏側に、光源が発光した光を前記表示部へ入光させる光学シートと、該光学シートに積層される積層板及び該積層板を支持する支持体とを備える表示装置において、前記光学シートは前記積層板の周面よりも中央側に配してあり、前記積層板の周面よりも外側にて前記支持体に結合され、前記周面よりも中央側にて前記光学シートの周面に対向し、該光学シートの面方向への移動を規制する規制体を備えることを特徴とする表示装置。
【請求項２】
前記表示部の裏側の面は、前記規制体と対向する凹所を有する請求項１記載の表示装置。
【請求項３】
前記規制体は、前記積層板の積層側の面に対向して該積層板を前記支持体に保持する保持部を有する請求項１又は２記載の表示装置。
【請求項４】
前記積層板は、前記光源が発生した光を拡散する拡散板である請求項１から３のいずれか一つに記載の表示装置。
【請求項５】
前記規制体の前記周面に対向する部分は、前記積層板の面に対して傾斜している請求項１から４のいずれか一つに記載の表示装置。
【請求項６】
前記表示部、積層板、光学シート及び支持体は略四角形をなし、前記支持体における隣合う二つの縁部に前記規制体を配してある請求項１から５のいずれか一つに記載の表示装置。
【請求項７】
前記支持体における他の隣合う二つの縁部に前記規制体を配してある請求項６記載の表示装置。
【請求項８】
前記表示部の裏側の面は、前記光学シートを収容する収容部を有し、前記規制体夫々の前記周縁に対向する部分は、前記収容部の内周面よりも突出している請求項６又は７記載の表示装置。
【請求項９】
前記支持体における一つの縁部に配してある前記規制体の前記突出する長さは、他の三つの縁部に配してある前記規制体夫々の前記突出する長さよりも短い請求項８記載の表示装置。
【請求項１０】
前記表示部は、表示面を有するパネルと、該パネルの周縁部裏側を保持する保持枠体とを有し、該保持枠体に前記凹所を設けてある請求項１から９のいずれか一つに記載の表示装置。
【請求項１１】
前記収容部は四角形をなし、一つの内側面に、前記光学シートの周面が当接する当接部を設けてある請求項８記載の表示装置。
【請求項１２】
前記パネルの裏面に接触する弾性体を前記保持部に設けてある請求項１０記載の表示装置。
【請求項１３】
前記凹所は、前記保持部に接触して前記規制体との間の隙間をなくすべき接触面を有する請求項３又は１２記載の表示装置。
【発明の詳細な説明】
【技術分野】
【０００１】
本発明は表示部の裏側に光学シートを配してある表示装置に関する。
【背景技術】
【０００２】
液晶の表示装置は、光学シートの裏側に導光板を積層し、該導光板の一側に光源を配してあるエッジライト型（例えば、特許文献１参照）と、光学シートの裏側に拡散板を積層し、該拡散板の裏側に光源を配してある直下ライト型（例えば、特許文献２参照）とがある。
【０００３】
光学シートは、光源が発光した光を拡散する反射偏光シート、プリズムシート、拡散シート等の比較的薄肉の合成樹脂シートが積層された積層体であり、比較的厚肉の導光板又は拡散板を介して支持体に支持される。
【０００４】
液晶のパネルは周縁部が保持枠体にて保持され、パネルモジュールになっており、該パネルモジュールが前記支持体の周縁部に取付けられている。
【特許文献１】特開２００８−９３７４号公報
【特許文献２】特開２００８−１５２１０１号公報
【発明の開示】
【発明が解決しようとする課題】
【０００５】
ところで、光学シートが使用されるテレビジョン等の表示装置は益々薄型にすることが要望されている。しかし、特許文献１、２のように構成された従来の表示装置は、光学シートに積層される導光板又は拡散板と光学シートとが等しい大きさに形成され、光学シートの周縁部が導光板又は拡散板とパネルモジュールとの間で挾着されるように構成されているため、改善の余地があった。
【０００６】
図１２は先に開発された表示装置の構成を示す縦断側面図である。本発明の出願人はより一層の薄型化を図るべく、図１２に示すように直下ライト型の表示装置において、光学シート１００を拡散板１０１よりも小型に形成し、該光学シート１００を拡散板１０１の周面よりも中央側に配し、拡散板１０１の周縁部をパネルモジュール１０２と支持体１０３との間で挾着する構成とした表示装置を先に開発した。
【０００７】
この表示装置の組立ては、作業台上に平置きされた支持体１０３に光源モジュール１０４が組み込まれ、光源モジュール１０４上に拡散板１０１が載置され、該拡散板１０１上に光学シート１００が積層された後、別の作業台上に搬送され、光学シート１００上にパネルモジュール１０２が載置され、該パネルモジュール１０２の周縁部が支持体１０３に複数本の雄ねじにて結合される。
【０００８】
しかし、先に開発された表示装置は、光学シート１００が拡散板１０１よりも小型に形成されているため、パネルモジュール１０２の組込作業工程までの間に光学シート１００が拡散板１０１に対して面方向へ移動することがあり、この移動した状態でパネルモジュール１０２が拡散板１０１に載置されたとき、該パネルモジュール１０２と拡散板１０１との間で光学シート１００の周縁部を挟み込むことになり、改善策が要望されていた。
【０００９】
本発明は斯かる事情に鑑みてなされたものであり、主たる目的は積層板の周面よりも外側にて支持体に結合され、積層板の周面よりも中央側にて光学シートの周面に対向し、該光学シートの面方向への移動を規制する規制体を設けることにより、積層板の周面よりも中央側に配してある光学シートの周縁部が挟み込まれるのを防ぐことができるとともに、薄型化を図ることができる表示装置を提供することにある。
【課題を解決するための手段】
【００１０】
本発明に係る表示装置は、表側に表示面を有する表示部の裏側に、光源が発光した光を前記表示部へ入光させる光学シートと、該光学シートに積層される積層板及び該積層板を支持する支持体とを備える表示装置において、前記光学シートは前記積層板の周面よりも中央側に配してあり、前記積層板の周面よりも外側にて前記支持体に結合され、前記周面よりも中央側にて前記光学シートの周面に対向し、該光学シートの面方向への移動を規制する規制体を備えることを特徴とする。
【００１１】
この発明にあっては、積層板の周面よりも中央側に配してある光学シートの面方向への移動を、積層板の周面よりも外側にて支持体に結合された規制体が光学シートの周面に対向して規制するため、積層板と表示部との間で光学シートの周縁部が挟み込まれるのを防ぐことができ、また、表裏方向厚さを薄型にすることができる。
【００１２】
また、本発明に係る表示装置は、前記表示部の裏側の面は、前記規制体と対向する凹所を有する構成とするのが好ましい。
この発明にあっては、積層板に表示部が載置されたとき、該表示部の凹所に規制体を納めることができるため、前記規制体の厚さに拘わらず表裏方向厚さを薄型にすることができる。
【００１３】
また、本発明に係る表示装置は、前記規制体は、前記積層板の積層側の面に対向して該積層板を前記支持体に保持する保持部を有する構成とするのが好ましい。
この発明にあっては、積層板を支持体に保持する保持部材を殊更設けることなく、積層板を支持体に保持することができるため、光学シート及び表示部が組み込まれていない組立て過程で光源の色合わせ作業を行うことができ、この色合わせ作業の効率を高めることができる。
【００１４】
また、本発明に係る表示装置は、前記積層板は、前記光源が発生した光を拡散する拡散板である構成とするのが好ましい。
この発明にあっては、比較的大型の直下ランプ型表示装置のより一層の薄型化を図ることができる。
【００１５】
また、本発明に係る表示装置は、前記規制体の前記周面に対向する部分は、前記積層板の面に対して傾斜している構成とするのが好ましい。
この発明にあっては、積層板の周面よりも中央側に配してある光学シートの周面が規制体の傾斜する面に当接したとき、該傾斜する面に沿って光学シートを積層板と離隔する側へ偏倚させることができるため、規制体の保持部と積層板との間に、積層板の熱膨張を吸収するための隙間が設けられている場合であっても光学シートが該隙間に食い込むのを防ぐことができる。
【００１６】
また、本発明に係る表示装置は、前記表示部、積層板、光学シート及び支持体は略四角形をなし、前記支持体における隣合う二つの縁部に前記規制体を配してある構成とするのが好ましい。
この発明にあっては、略四角形をなす支持体の隣合う二つの縁部に規制体があるため、積層板に積層される光学シートを前記二つの縁部に寄せることにより該光学シートの位置決め及び面方向への移動規制を行うことができる。因って、規制体の個数を低減でき、また、表示部を積層板の周縁部に載置した後、表示部が縦置きされる場合、該表示部の下部で光学シートを受止めることが可能であり、光学シートの面方向への移動を阻止することができる。
【００１７】
また、本発明に係る表示装置は、前記支持体における他の隣合う二つの縁部に前記規制体を配してある構成とするのが好ましい。
この発明にあっては、支持体の四つの縁部に規制体を設け、積層板に光学シートが積層されている状態で別の作業台に搬送される場合であっても、光学シートの位置を維持することができる。
【００１８】
また、本発明に係る表示装置は、前記表示部の裏側の面は、前記光学シートを収容する収容部を有し、前記規制体夫々の前記周面に対向する部分は、前記収容部の内周面よりも突出している構成とするのが好ましい。
この発明にあっては、表示部が積層板の周縁部に載置されたとき、該表示部の収容部に光学シートを収容することができ、この収容状態を規制体にて維持することができる。
【００１９】
また、本発明に係る表示装置は、前記支持体における一つの縁部に配してある前記規制体の前記突出する長さは、他の三つの縁部に配してある前記規制体夫々の前記突出する長さよりも短い構成とするのが好ましい。
この発明にあっては、表示部が縦置きされたとき、光学シートを収容する収容部の下縁により光学シートを支持することができるため、光学シートの自重が前記規制体に加わることにより該光学シートに皺が発生するのを抑制することができる。
【００２０】
また、本発明に係る表示装置は、前記表示部は、表示面を有するパネルと、該パネルの周縁部裏側を保持する保持枠体とを有し、該保持枠体に前記凹所を設けてある構成とするのが好ましい。
この発明にあっては、保持枠体が成形されるとき、該保持枠体と一体に凹所を成形することができるため、加工工数を増やすことなく凹所を設けることができる。
【００２１】
また、本発明に係る表示装置は、前記収容部は四角形をなし、一つの内側面に、前記光学シートの周面が当接する当接部を設けてある構成とするのが好ましい。
この発明にあっては、表示部が縦置きされたとき、収容部の当接部に光学シートを支持することができるため、光学シートの自重により該光学シートに皺が発生するのをなくすることができる。
【００２２】
また、本発明に係る表示装置は、前記パネルの裏面に接触する弾性体を前記保持部に設けてある構成とするのが好ましい。
この発明にあっては、積層板の周縁部に表示部が載置されたとき、該表示部のパネルを保持部の弾性体に接触させることができるため、パネルの規制体による傷付きを防ぐことができる。
【００２３】
また、本発明に係る表示装置は、前記凹所は、前記保持部に接触して前記規制体との間の隙間をなくすべき接触面を有する構成とするのが好ましい。
この発明にあっては、積層板の周縁部に表示部が載置されたとき、該表示部における凹所の接触面が規制体の保持部に接触して規制体との間の隙間をなくすることが可能であるため、外部の塵埃が規制体と凹所との間から光学シート側へ侵入するのを防ぐことが可能である。
【発明の効果】
【００２４】
本発明によれば、積層板の周面よりも中央側に配してある光学シートの周縁部が挟み込まれるのを防ぐことができるとともに、薄型化を図ることができる。
【発明を実施するための最良の形態】
【００２５】
以下本発明をその実施の形態を示す図面に基づいて詳述する。図１及び図２は本発明に係る表示装置の構成を示す縦断側面図、図３は表示装置の構成を示す背面図である。
【００２６】
図示した表示装置は、テレビ画像を表示する表示面１ａを前側（表側）に有し、略直方体をなす表示部１と、該表示部１の後側（裏側）に配される光学シート２と、該光学シート２に積層される拡散板３と、該拡散板３を支持する支持体４と、拡散板３の後側に配される光源部５と、表示部１の周縁部及び支持体４の後側を隠蔽するキャビネットと、支持体４の後面に取付けられ、起立状態で支持するスタンドとを備える液晶テレビジョン、換言すれば液晶表示装置である。
【００２７】
図４は支持体、拡散板及び光学シートの関係を示す模式的分解斜視図、図５は支持体に拡散板が支持された状態を示す模式的正面図、図６は拡散板に光学シートが積層された状態を示す模式的正面図、図７は表示部の構成を示す模式的背面図である。
【００２８】
拡散板３は光源部５が発光した光を拡散するもので、表示部１に対応して比較的厚肉の略直方形に形成されている。
【００２９】
光学シート２は、光源部５が発生した光を拡散する反射偏光シート、プリズムシート、拡散シート等の比較的薄肉で、透光性及び可撓性を有する合成樹脂シートからなり、表示部１に対応して略直方形に形成されており、例えば反射偏光シート、プリズムシート、拡散シートの順で積層支持される。光学シート２は拡散板３よりも小型に形成され、拡散板３の周面よりも中央側に配してある。
【００３０】
支持体４は金属板を四角形の浅皿状に成形してなり、略矩形をなす平板状の板部４１と、該板部４１に段部４２にて連なる環板部４３とを有し、板部４１の前面に光源部５が装着され、環板部４３に拡散板３及び表示部１が載置される。段部４２は光源部５の厚さに対応した深さに形成されている。
【００３１】
板部４１における後面の横方向一側部には、後記するドライバに電圧を供給する電源回路基板７が取付けられており、横方向他側部には、後記するドライバを制御する制御回路基板８が取付けられている。また、板部４１における後面の横方向中央部には表示部１に電圧を供給する電源回路基板９、表示部１の表示面１ａに表示される画像を処理する端子回路基板１０、表示部１を制御する制御回路基板２０等の複数の回路基板が取付けられている。
【００３２】
環板部４３は内縁側に拡散板３が載置され、外縁側に表示部１の後記する保持枠体が載置される。環板部４３における内外縁間には拡散板３の面方向への移動を規制し、該拡散板３の位置を決める位置決片が切起しにより設けられている。環板部４３の外縁側には、第１及び第２の取付孔４４，４５が周方向に離隔して複数開設されている。第１の取付孔４４は例えば図４に示すように上縁部及び下縁部夫々に二つ、両側縁部夫々に一つ開設されており、第１の取付孔４４夫々に光学シート２の面方向への移動を規制する規制体６が結合されている。また、第１の取付孔４４の両側には後記する位置決め凸部が嵌合される位置決め凹部が設けられている。
【００３３】
図８は規制体の構成を示すもので、(a) は正面図、(b) は側面図、(c) は底面図、(d) は中央断面図である。規制体６は、環板部４３に結合される結合板部６１（結合部）と、該結合板部６１に連なり、拡散板３の厚さに対応する段部６２及び該段部６２に連なり、拡散板３の光学シート２が積層される一面に対向して接触する保持板部６３（保持部）とを有し、結合板部６１に貫通孔６４が開設されている。
【００３４】
結合板部６１は環板部４３の外縁部分を残して結合されており、該結合板部６１の環板部と接触する面には前記位置決め凹部に嵌合される二つの位置決め凸部６１ａが設けられている。保持板部６３は光学シート２の積層厚さに対応した厚さを有し、先端が光学シート２の周面に対向し、該光学シート２の面方向への移動を規制している。保持板部６３の先端は光学シート２の面に対して基部側へ傾斜し、該先端に当接した光学シート２を拡散板３と離隔する側へ偏倚させ、光学シート２が保持板部６３と拡散板３との間の隙間に侵入するのを防ぐように構成されている。
【００３５】
保持板部６３の拡散板３と反対側表面には、表示部１の表示パネル１１が接触する弾性体６５と、該弾性体６５の両側に配され、表示部１の保持枠体が接触する接触面６６とが設けられている。
【００３６】
支持体４の下縁部に結合される規制体６の保持板部６３は、支持体４の上縁部及び両側縁部に結合される規制体６の保持板部の長さよりも短く形成されている。
【００３７】
表示部１は、略直方体をなし、前後側に偏光板が貼着されている表示パネル１１と、該表示パネル１１の周縁部を前後で挾持して保持する前保持枠体１２及び後保持枠体１３とを有する。
【００３８】
前保持枠体１２は、表示パネル１１の周縁部前面に対向する矩形の環板部１２ａ及び環板部１２ａの外縁から後方へ延出されている枠部１２ｂを有し、金属板を成形してなる。環板部１２ａの内縁側に、表示パネル１１の周縁部を弾性的に受止める帯状の弾性体１４が貼着され、環板部１２ａの外縁側に、前後方向へ貫通する貫通孔１５が周方向へ離隔して複数設けられている。
【００３９】
後保持枠体１３は、断面四角形をなす基環部１３ａと、該基環部１３ａの内面から内向きに突出し、表示パネル１１の周縁部後面に対向する環板部１３ｂとを有し、合成樹脂材を成形してなる。基環部１３ａの後面で、規制体６と対向する箇所には、該規制体６を収容する凹所１６が設けられている。環板部１３ｂの内側は光学シート２を収容する収容部１３ｃになっており、環板部１３ｂよりも後側は拡散板３の周縁部を収容する収容部１３ｄになっている。
【００４０】
環板部１３ｂの表示パネル１１と対向する面には表示パネル１１の周縁部を弾性的に受止める帯状の弾性体１７が貼着されており、基環部１３ａには前記貫通孔１５に対応する挿通孔１８が開設されている。また、貫通孔１５及び挿通孔１８に挿入される雄螺子１９にて前保持枠体１２及び後保持枠体１３が結合され、表示パネル１１が挾着保持されている。
【００４１】
凹所１６は、基環部１３ａの内面から後面の途中に亘って窪んでおり、規制体６の結合板部６１及び段部６２を収容している。凹所１６には保持板部６３の接触面６６に接触して規制体６との間の隙間をなくすべき接触面１６ａが設けられている。
【００４２】
図９は光源部の構成を示す模式的分解図、図１０は光源部の構成を示す模式的正面側斜視図、図１１は光源部の構成を示す模式的断面図である。
光源部５は、碁盤目のように並置される光源としての複数の発光ダイオード５１と、該発光ダイオード５１及び発光ダイオード５１夫々を動作させるためのドライバとを実装してあり、格子状に並置される複数の発光ダイオード基板５２と、隣合う発光ダイオード基板５２に両端が接続されるフレキシブルプリント基板と、該発光ダイオード基板５２に対応して格子状に並置され、発光ダイオード５１が発光した光を拡散板３の面方向へ導く複数の導光板５３と、該導光板５３が導いた光を拡散板３の方向へ反射させる複数の反射板５４とを備える。
【００４３】
発光ダイオード基板５２は一面及び他面に回路部を有する略直方形をなし、一面に複数の発光ダイオード５１を長手方向及び幅方向に並べて実装してあり、他面に、一面の発光ダイオード５１夫々を動作させるための一つのドライバが設けられており、板部４１に取付けられる。
【００４４】
発光ダイオード５１は図９(a) に示すように前記長手方向に例えば８個、前記幅方向に例えば４個、合計で３２個実装してあり、発光ダイオード５１夫々に対応して３２個の導光板５３を配してあり、また、前記長手方向一列の発光ダイオード５１に対応して１枚の反射板５４、合計４枚の反射板５４を配してある。
【００４５】
１つの発光ダイオード基板５２と導光板５３との関係は図９(b) に示すように構成されており、図１０に示すように支持体４の前面に上下方向及び横方向に並べて配置されている。
【００４６】
並置された発光ダイオード基板５２において、前記長手方向一列の発光ダイオード基板５２は、隣合う２つ同士がフレキシブルプリント基板にて接続され、一端の発光ダイオード基板５２が後記する電源回路基板にフレキシブルプリント基板にて接続され、他端の発光ダイオード基板５２が後記する制御回路基板にフレキシブルプリント基板にて接続されている。
【００４７】
導光板５３は略直方体をなし、入光面５３ａと、該入光面５３ａに入光した光を入光面５３ａとほぼ直交する方向へ照射する出光面５３ｂとを有し、発光ダイオード５１の一側と対向する位置に入光面５３ａを配し、前記表示部の後側の面と対向する位置に出光面５３ｂを配してあり、出光面５３ｂと反対側の面に反射板５４が貼付けられている。具体的には、長手方向一方側の一面が発光ダイオード基板５２と平行の扁平面、長手方向他方側の一面及び他面が発光ダイオード基板５２に対して傾斜する傾斜面になっており、長手方向他方側の端部に、四角形をなす収容孔５３ｃが開設され、収容孔５３ｃの一面を入光面５３ａ、扁平面を出光面５３ｂとしてあり、他面に反射板５４が貼付けられている。
【００４８】
導光板５３は一面の傾斜する傾斜面と、隣合う導光板５３の他面とが対向するように並置され、導光板５３夫々の出光面５３ｂは発光ダイオード基板５２に対して等距離の面一となり、止具により発光ダイオード基板５２に固定される。
【００４９】
キャビネットは、表示部１の周縁部前側及び周縁部外周りを隠蔽する枠状のキャビネット前分体と、支持体４の後側を隠蔽するキャビネット後分体とを備える。
【００５０】
以上のように構成された表示装置の組立ては例えば次の(1) 〜(7) の工程で行う。
(1) 作業台上に前面を上向にして平置きされた支持体４の板部４１に光源部５の発光ダイオード基板５２及び導光板５３が上下方向及び横方向に並べて組込まれる。
(2) 光源部５が組込まれた支持体４における環板部４３の内縁側に拡散板３が載置される。この際、環板部４３に設けられている位置決片にて拡散板３の環板部４３に対する位置を簡易に決めることができる。
(3) 拡散板３を支持した環板部４３の外縁部に規制体６の結合板部６１を当接させ、該結合板部６１に開設されている貫通孔６４に挿入する雄螺子２１を第１の取付孔４４に捩じ込むことにより支持体４の上下縁部及び両側縁部に規制体６が結合される（図５参照）。
(4) 拡散板３上に光学シート２が積層される（図６参照）。この際、支持体４の上下縁部及び両側縁部に結合されている規制体６が光学シート２の拡散板３に対する位置を決めているため、光学シート２を簡易に積層することができ、また、光学シート２の面方向への移動を規制することができる。
(5) 別の作業台上に搬送された後、表示部１の後保持枠体１３を下向きにした状態で支持体４における環板部４３の外縁側に表示部１が載置される。この際、後保持枠体１３の規制体６と対向する箇所には凹所１６が設けられているため、規制体６に邪魔されることなく後保持枠体１３の後面を環板部４３に接触させることができるとともに、後保持枠体１３の収容部１３ｃ，１３ｄに光学シート２、拡散板３を収容することができ、また、表示パネル１１の後面が規制体６の弾性体６５に接触する。
(6) 前保持枠体１２の貫通孔１５及び後保持枠体１３の挿通孔１８に挿入される雄螺子１９を支持体４の第２の取付孔４５に捩じ込むことにより表示部１が支持体４の環板部４３に装着される。
(7) スタンドにより表示部１及び支持体４が作業台上に起立された後、表示部１の前側にキャビネット前分体が被嵌され、支持体４の後側にキャビネット後分体が被嵌される。
【００５１】
以上のように拡散板３の周面よりも中央側に配されている光学シート２の面方向への移動を規制体６にて規制してある状態で表示部１を支持体４に装着することができるため、光学シート２の周縁部が表示部１と拡散板３との間に挟み込まれるのを防ぐこができ、しかも、規制体６の対向する凹所１６が表示部１の後面に設けられているため、規制体６を取外すことなく、表示パネル１１を光源部５に接近させることができ、表示装置を薄型にすることができる。
【００５２】
また、光学シート２及び表示部１の組込工程よりも前工程で拡散板３を支持体４に保持することができるため、この光学シート２及び表示部１の組込工程よりも前工程で光源部５の色合わせ作業を行うことができ、この色合わせ作業の効率を高めることができる。
【００５３】
尚、以上説明した実施の形態では、導光板５３を有する光源部５を備える構成としたが、その他、導光板５３がなく、発光ダイオード５１等の光源が発光した光を拡散板３に直接入光させる構成の光源部であってもよく、光源部の構成は特に制限されない。
【００５４】
また、以上説明した実施の形態では、支持体４の上下縁部及び両側縁部に規制体６を装着したが、その他、規制体６は支持体４の上縁部及び一側縁部に装着した構成としてもよい。この場合、平置きされた支持体４に光学シート２が組込まれる工程では、光学シート２を前記上縁部及び一側縁部に押し寄せて規制体６により位置決めし、この位置決め状態で表示部１を支持体４に載置することができる。また、この実施の形態では、後保持枠体１３における収容部１３ｃの下面に、光学シート２の周面下部が当接する当接部を設け、スタンドにて起立状態に支持されたとき、光学シート２の周面下部が前記当接部に当接し、後保持枠体１３が光学シート２を支持する構成となる。
【００５５】
また、以上説明した実施の形態では、支持体４の下縁部に装着される規制体６の保持板部６３の長さを、支持体４の上縁部及び両側縁部に装着される規制体６の保持板部６３の長さよりも短くしたが、その他、全ての規制体６の保持板部６３の長さを等しくしてもよい。また、保持板部６３の長さを前述したように短くする場合、後保持枠体１３における収容部１３ｃ下面の当接部とほぼ等しくなる長さにしてもよい。この場合、収容部１３ｃ下面における当接部の全面で光学シート２を支持することができるため、光学シート２の自重により該光学シート２に皺が発生するのをなくすることができる。
【００５６】
また、以上説明した実施の形態では、規制体６を雄螺子２１にて支持体４に結合したが、その他、規制体６と一体に嵌合凸部を設け、該嵌合凸が嵌合される嵌合孔を環板部４３に開設し、嵌合凸部の嵌合孔への嵌合により結合する構成としてもよい。
【００５７】
また、以上説明した実施の形態では、支持体４と別個に規制体６を設けたが、その他、規制体６は例えば環板部４３に切り目を設け、該切り目で囲まれた部分を折り曲げることにより一体成形してもよい。この場合、規制体６は四つの側部のうち、一つの側部、二つの側部、又は三つの側部のいずれかに設けた構成とする。
【図面の簡単な説明】
【００５８】
【図１】本発明に係る表示装置の構成を示す縦断側面図である。
【図２】本発明に係る表示装置の構成を示す縦断側面図である。
【図３】本発明に係る表示装置の構成を示す背面図である。
【図４】本発明に係る表示装置の支持体、拡散板及び光学シートの関係を示す模式的分解斜視図である。
【図５】本発明に係る表示装置の支持体に拡散板が支持された状態を示す模式的正面図である。
【図６】本発明に係る表示装置の拡散板に光学シートが積層された状態を示す模式的正面図である。
【図７】本発明に係る表示装置の表示部の構成を示す模式的背面図である。
【図８】本発明に係る表示装置の規制体の構成を示すもので、(a) は正面図、(b) は側面図、(c) は底面図、(d) は中央断面図である。
【図９】本発明に係る表示装置の光源部の構成を示す模式的分解図である。
【図１０】本発明に係る表示装置の光源部の構成を示す模式的正面側斜視図である。
【図１１】本発明に係る表示装置の光源部の構成を示す模式的断面図である。
【図１２】先に開発された表示装置の構成を示す縦断側面図である。
【符号の説明】
【００５９】
１    表示部
１ａ  表示面
１１  パネル（表示パネル）
１３  後保持枠体（保持枠体）
１３ｃ  収容部
１６    凹所
１６ａ  接触面
２    光学シート
３    拡散板（積層板）
４    支持体
５１  発光ダイオード（光源）
６    規制体
６３  保持板部（保持部）
６５  弾性体
【図１】
2010113096.tif 000003
【図２】
2010113096.tif 000004
【図３】
2010113096.tif 000005
【図４】
2010113096.tif 000006
【図５】
2010113096.tif 000007
【図６】
2010113096.tif 000008
【図７】
2010113096.tif 000009
【図８】
2010113096.tif 000010
【図９】
2010113096.tif 000011
【図１０】
2010113096.tif 000012
【図１１】
2010113096.tif 000013
【図１２】
2010113096.tif 000014